(57)【要約】【課題】、膨大なキーワード候補の中からＳＥＯ対策等で効果的なキーワードを選定することが可能なキーワードターゲティングシステム、サーバ装置等を提供する。【解決手段】サーバ装置は、検索キーワード群取得部１１ａと、検索キーワード群に含まれる検索キーワードがどのような含有語で構成されているかを解析する形態素解析部１１ｂと、利用者端末に対して、検索キーワードの絞り込みのための所定のワードの選定を促す案内画面を表示して所定の入力をするように促す質問部１１ｃと、利用者端末からの回答を受付ける回答受付部１１ｄと、回答より所定のワードに関係する検索キーワードの情報に基づいて検索キーワードの確度を選定するキーワード選定部１１ｅとを備える。【選択図】図２
2017062771.tif 000002
【特許請求の範囲】
【請求項１】
検索キーワード群を取得する検索キーワード群取得部と、
前記検索キーワード群に含まれる検索キーワードがどのような含有語で構成されているか解析する形態素解析部と、
前記検索キーワードの絞り込みのための所定のワードの選定を促す案内画面を表示して所定の入力をするように促す質問部と、
前記質問の回答を受付ける回答受付部と、
前記回答より所定のワードに関係する検索キーワードの情報に基づいて各検索キーワードの確度を選定するキーワード選定部と、を備えた
キーワードターゲティング装置。
【請求項２】
サーバ装置と情報端末とからなるキーワードターゲティングシステムにおいて、
前記サーバ装置は、
検索キーワード群を取得する検索キーワード群取得部と、
前記検索キーワード群に含まれる検索キーワードがどのような含有語で構成されているか解析する形態素解析部と、
前記利用者端末に対して、検索キーワードの絞り込みのための所定のワードの選定を促す案内画面を表示して所定の入力をするように促す質問部と、
前記利用者端末からの質問の回答を受付ける回答受付部と、
前記回答より所定のワードに関係する検索キーワードの情報に基づいて各検索キーワードの確度を選定するキーワード選定部と、を備えた
キーワードターゲティングシステム。
【請求項３】
前記所定のワードとは、非商圏ワード、非ターゲットワード、自社ブランド名ワード、競合ブランド名ワード、特に重要な商圏ワード、及び受注直結ワードの少なくともいずれかである請求項２に記載のキーワードターゲティングシステム。
【請求項４】
前記キーワード選定部により確度が選定された各検索キーワードに係るＣＶＲを含む情報を、アクセス解析ツール機能を備えた外部のサービスサーバ装置より取得し表示に反映させるＣＶＲ等取得制御部を更に備えた請求項１乃至請求項３のいずれか１項に記載のキーワードターゲティングシステム。
【請求項５】
情報端末と通信自在なサーバ装置であって、
検索キーワード群を取得する検索キーワード群取得部と、
前記検索キーワード群に含まれる検索キーワードがどのような含有語で構成されているか解析する形態素解析部と、
前記利用者端末に対して、検索キーワードの絞り込みのための所定のワードの選定を促す案内画面を表示して所定の入力をするように促す質問部と、
前記利用者端末からの質問の回答を受付ける回答受付部と、
前記回答より所定のワードに関係する検索キーワードの情報に基づいて各検索キーワードの確度を選定するキーワード選定部と、を備えた
サーバ装置。
【請求項６】
キーワードターゲティングに係るサービスを提供するサーバ装置と、サービス利用者の情報端末とが通信自在に接続されたキーワードターゲティングシステムによるキーワードターゲティング方法において、
前記サーバ装置が、
検索キーワード群を取得するステップと、
前記検索キーワード群に含まれる検索キーワードがどのような含有語で構成されているか解析するステップと、
前記利用者端末に対して、検索キーワードの絞り込みのための所定のワードの選定を促す案内画面を表示して所定の入力をするように促すステップと、
前記利用者端末からの質問の回答を受付けるステップと、
前記回答より所定のワードに関係する検索キーワードの情報に基づいて各検索キーワードの確度を選定するステップと、を有する
キーワードターゲティング方法。
【請求項７】
キーワードターゲティングに係るサービスを提供するサーバ装置において実行されるコンピュータプログラムであって、
前記サーバ装置を、
検索キーワード群を取得する検索キーワード群取得部と、
前記検索キーワード群に含まれる検索キーワードがどのような含有語で構成されているか解析する形態素解析部と、
前記利用者端末に対して、検索キーワードの絞り込みのための所定のワードの選定を促す案内画面を表示して所定の入力をするように促す質問部と、
前記利用者端末からの質問の回答を受付ける回答受付部と、
前記回答より所定のワードに関係する検索キーワードの情報に基づいて各検索キーワードの確度を選定するキーワード選定部として機能させる
プログラム。
【発明の詳細な説明】
【技術分野】
【０００１】
本発明は、例えばロングテールＳＥＯ対策等で効果が期待できるキーワードを選定するキーワードターゲティングシステム、キーワードターゲティング装置、サーバ装置、キーワードターゲティング方法、及びプログラムに関する。
【背景技術】
【０００２】
従来、ロングテールＳＥＯが実施されている。ここで、「ロングテールＳＥＯ」とは、一般的には、特定のビッグキーワードでの上位表示だけではなく、関連する複合キーワードで網羅的にＷＥＢサイトを検索にヒットさせ、より幅広い又は購買に近い検索を行うユーザからクリックを獲得できるようにするためのＳＥＯのことをいう。
【０００３】
一般に、インターネットにおいては、非人気商品の総売上が、上位人気商品の売上を上回るというロングテールの法則が成立することが多い。ＷＥＢサイトについても、人気キーワードからのアクセス数を、ロングテールキーワードを積み重ねたアクセス数が上回ることが多い。このような理由からも、より多くのニッチな検索者を狙おうとするロングテールＳＥＯは重要視されている。
【０００４】
このようなロングテールキーワードの選定においても、他の一般のＳＥＯ対策と同様に、各サイトの各々について各ロングテールキーワード毎のコンバージョン率、滞在時間等の数値が高いものを有望なキーワードとしたり、経験値から人為的に選別したり等、手間をかけて選定しているのが実情である。一般的には、ロングテールキーワードの種類は数百から数千と膨大な数である。そして、そのような膨大な種類のロングテールキーワードの中から企業が自社にとって特に有望だと思えるキーワードを１つ１つ抽出していく作業は、極めて煩雑で時間がかかるものであり、その改善が嘱望されていた。
【０００５】
このようなロングテールに着目した技術を開示した文献としては、例えば特許文献１がある。特許文献１では、検索結果をランク付けするための方法および装置、ならびにロングテールキーワードに基づいて求められた検索結果をランク付けする際の不正確なランク付けの問題を解決するための検索方法および装置が開示されている。
【先行技術文献】
【特許文献】
【０００６】
【特許文献１】特表２０１４−５３２９２８号公報
【発明の概要】
【発明が解決しようとする課題】
【０００７】
しかしながら、特許文献１では、ロングテールＳＥＯに効果的な検索キーワード選定及び絞り込みを行うものではなく、単にロングテールキーワードごとの検索結果順位を羅列するものにすぎなかった。このため、企業は、ロングテールキーワード毎の検索結果順位は知り得ても、自社のビジネスに有望なロングテールキーワードを選別し得るものではなかった。ここでいう有望とは、自社のビジネスにとって、売上や問合せに直結しやすいこと意味する。
【０００８】
本発明は、このような課題に鑑みて、膨大な検索キーワード群の中からロングテールＳＥＯ対策等で効果的な検索キーワードを選定可能とし、サイト制作時にコンテンツに用いるキーワードへの優先順位付けを可能とすることを目的とする。さらに、主観的な評価と客観的な数値による評価とを併せて表示することで、ユーザによるキーワードの選択をより効果的なものとすることを目的とする。
【課題を解決するための手段】
【０００９】
上記課題を解決するために本発明の第１の態様に係るキーワードターゲティング装置は、検索キーワード群を取得する検索キーワード群取得部と、前記検索キーワード群に含まれる検索キーワードがどのような含有語で構成されているか解析する形態素解析部と、前記検索キーワードの絞り込みのための所定のワードの選定を促す案内画面を表示して所定の入力をするように促す質問部と、前記質問の回答を受付ける回答受付部と、前記回答より所定のワードに関係する検索キーワードの情報に基づいて各検索キーワードの確度を選定するキーワード選定部と、を備えている。
【００１０】
本発明の第２の様に係るキーワードターゲティングシステムは、サーバ装置と情報端末とからなるキーワードターゲティングシステムにおいて、前記サーバ装置は、検索キーワード群を取得する検索キーワード群取得部と、前記検索キーワード群に含まれる検索キーワードがどのような含有語で構成されているか解析する形態素解析部と、前記利用者端末に対して、検索キーワードの絞り込みのための所定のワードの選定を促す案内画面を表示して所定の入力をするように促す質問部と、前記利用者端末からの質問の回答を受付ける回答受付部と、前記回答より所定のワードに関係する検索キーワードの情報に基づいて、各検索キーワードの確度を選定するキーワード選定部とを備えている。
【００１１】
本発明の第３の態様に係るサーバ装置は、情報端末と通信自在なサーバ装置であって、検索キーワード群を取得する検索キーワード群取得部と、前記検索キーワード群に含まれる検索キーワードがどのような含有語で構成されているか解析する形態素解析部と、前記利用者端末に対して、検索キーワードの絞り込みのための所定のワードの選定を促す案内画面を表示して所定の入力をするように促す質問部と、前記利用者端末からの質問の回答を受付ける回答受付部と、前記回答より所定のワードに関係する検索キーワードの情報に基づいて、各検索キーワードの確度を選定するキーワード選定部と、を備えている。
【００１２】
本発明の第４の態様に係るキーワードターゲティング方法は、キーワードターゲティングに係るサービスを提供するサーバ装置と、サービス利用者の情報端末とが通信自在に接続されたキーワードターゲティングシステムによるキーワードターゲティング方法において、前記サーバ装置が、検索キーワード群を取得するステップと、前記検索キーワード群に含まれる検索キーワードがどのような含有語で構成されているかを解析するステップと、前記利用者端末に対して、検索キーワードの絞り込みのための所定のワードの選定を促す案内画面を表示して所定の入力をするように促すステップと、前記利用者端末からの質問の回答を受付けるステップと、前記回答より所定のワードに関係する検索キーワードの情報に基づいて、各検索キーワードの確度を選定するステップとを有する。
【００１３】
本発明の第５の態様に係るプログラムは、キーワードターゲティングに係るサービスを提供するサーバ装置において実行されるコンピュータプログラムであって、前記サーバ装置を、検索キーワード群を取得する検索キーワード群取得部と、前記検索キーワード群に含まれる検索キーワードがどのような含有語で構成されているか解析する形態素解析部と、前記利用者端末に対して、検索キーワードの絞り込みのための所定のワードの選定を促す案内画面を表示して所定の入力をするように促す質問部と、前記利用者端末からの質問の回答を受付ける回答受付部と、前記回答より所定のワードに関係する検索キーワードの情報に基づいて、各検索キーワードの確度を選定するキーワード選定部として機能させる。
【発明の効果】
【００１４】
本発明によれば、膨大な検索キーワード群の中からロングテールＳＥＯ対策等で効果的な検索キーワードを選定することが可能なキーワードターゲティングシステム、サーバ装置、キーワードターゲティング方法、及びプログラムを提供できる。さらに、主観的な評価と客観的な数値による評価とを併せて表示することで、ユーザによるキーワードの選択をより効果的なものとするキーワードターゲティングシステム、サーバ装置、キーワードターゲティング方法、及びプログラムを提供できる。
【図面の簡単な説明】
【００１５】
【図１】本発明の第１実施形態に係るキーワードターゲティングシステムの構成を示す図である。
【図２】本発明の第１実施形態に係るキーワードターゲティングシステムに用いられるサーバ装置の詳細な構成を示す図である。
【図３】本発明の第１実施形態に係るキーワードターゲティングシステムによる処理手順を示すフローチャートである。
【図４】キーワードターゲティング処理の処理手順を示すフローチャートである。
【図５】本発明の第１実施形態に係るキーワードターゲティングシステムの処理過程でユーザの情報端末に表示される案内画面の様子を示す図である。
【図６】確度の算定のために用いられるテーブルを示す図である。
【図７】本発明の第１実施形態に係るキーワードターゲティングシステムの処理過程でユーザの情報端末に表示される結果表示画面の様子を示す図である。
【図８】本発明の第２実施形態に係るキーワードターゲティングシステムに用いられるサーバ装置の詳細な構成を示す図である。
【図９】キーワードターゲティング処理の処理手順を示すフローチャートである。
【図１０】本発明の第２実施形態に係るキーワードターゲティングシステムの処理過程でユーザの情報端末に表示される結果表示画面の様子を示す図である。
【発明を実施するための形態】
【００１６】
以下、図面を参照しつつ本発明の実施形態について説明する。
【００１７】
（第１実施形態）
【００１８】
図１には、本発明の第１実施形態に係るキーワードターゲティングシステムの構成を示し説明する。同図に示されるように、キーワードターゲティングシステムは、キーワードターゲティングに係るサービスを提供するサーバ装置１とサービス利用者の情報端末４とを備えている。サーバ装置１は、例えば検索エンジンと連携したサービスサーバ装置２及びＷｅｂサイトを提供するＷｅｂサーバ５と、インターネット等のネットワーク６を介して通信自在に接続されている。
【００１９】
このような構成において、サービスサーバ装置２は、検索に関わる検索履歴情報等を記憶したデータベース（以下、ＤＢと略記）３を備えており、検索エンジンの利用者によるキーワードごとの検索数等を集計している。サーバ装置１は、予め決められたタイミングで定期的にサービスサーバ装置２より検索キーワード群を取得する。
【００２０】
サービス利用者の情報端末４より、キーワードターゲティングに係るサービス利用の要求があると、サーバ装置１は、詳細は後述するような案内画面を介して利用者に各種の入力、選択を促す。そして、利用者の情報端末４にて入力、選択された情報に基づいて、当該利用者の関心のある市場におけるＷｅｂサイトのロングテールＳＥＯ等に効果的な検索キーワードの選定を行い、確度によりグループ分けして利用者に提示する。利用者は、選定された検索キーワードに基づいて、Ｗｅｂサーバ装置５の提供するＷｅｂページのキーワードを選定し、配置等を調整することで、ＳＥＯ対策を図ることができる。
【００２１】
ここで、「確度」とは、キーワードと対象製品またはサービスとの適合度のことを意味しており、厳密には期待受注率や期待問合せ率、期待売上額の程度等を含む概念である。これらの値が高く出ると期待できるキーワードにはより高い確度が付与され、Web制作の際には優先的にページ企画やメニュー企画、コンテンツ企画などに組み込まれてゆく。また、それらのキーワードをページタイトル、サブタイトル、コンテンツテーマ、及びコンテンツ内に記載した場合に、これらが検索エンジンの検索結果画面に表示されるためにCTR（クリックスルーレート）の向上を見込みやすくなり、検索者が実際にサイトに流入してきた場合には、離脱率の低下、サイト滞在時間の向上、コンバージョンレートの向上など、種々のＫＰＩ（Key Performance Indicator）の向上をもたらす傾向がある。それは、そのようなキーワードが、有望な検索者の検索意図と一致するからである。尚、この実施形態では、確度によりキーワードの分類を行っているが、前述した各指標（クリックスルーレート、離脱率、サイト滞在時間、コンバージョンレート）そのものをキーワードの確度付けに用いてもよい。この実施形態では、「確度」を用いてレイティングするのか、他の指標を用いてレイティングするのかに関わらず、形態素解析結果を利用した有望なキーワードの含有状況により、キーワードに期待度合いに係る優先順位をつけることが可能である。
【００２２】
次に、図２には、本発明の第１実施形態に係るキーワードターゲティングシステムにおけるサーバ装置１の詳細な構成を示し説明する。
【００２３】
同図に示されるように、サーバ装置１は、全体の制御を司る制御部１１と、通信部１２と、解析データ格納ＤＢ１３と、形態素解析結果格納ＤＢ１４と、キーワードターゲティング結果格納ＤＢ１５と、記憶部１６と、操作部１７と、表示部１８とを備えている。そして、制御部１１は、記憶部１６の制御プログラム２０を読み出し、実行することで、解析データ取得部１１ａ、形態素解析部１１ｂ、質問部１１ｃ、回答受付部１１ｄ、キーワード選定部１１ｅ、表示制御部１１ｆ、主制御部１１ｇ、として機能する。
【００２４】
このような構成において、通信部１２は、ネットワーク６を介してサービスサーバ装置２や情報端末４とデータのやり取りを行う。記憶部１６は、ＲＡＭ（Random Access Memory）やＲＯＭ（Read Only Memory）等のメモリやＨＤＤ等からなり、制御プログラム２０を記憶していると共に、プログラム実行時にはワークエリアを提供する。
【００２５】
制御部１１の各部１１ａ乃至１１ｇは、以下のような作用を奏する。解析データ取得部１１ａは、通信部１２を介してサービスサーバ装置２に定期的にアクセスして検索キーワード群を取得する。即ち、検索エンジンの利用者による検索キーワード群を取得し、解析データ格納ＤＢ１３に格納する。
【００２６】
形態素解析部１１ｂは、検索キーワード群に含まれる検索キーワードがどのような含有語で構成されているか解析する。ここでは不図示であるが、形態素解析部１１ｂは、予め用意された辞書や規則をテーブル形式で読み込み、検索キーワードを読み込み、両者のマッチングを行うことで、含有語を抽出する。
【００２７】
質問部１１ｃは、キーワードターゲティングに係るサービスの利用を要求してきた利用者に対して、検索キーワードの絞り込みのための質問を読み出し、案内画面を情報端末４にて表示して所定の入力をするように促す。例えば選択された関連市場におけるＷｅｂページに用いられている含有語を提示して、所定の質問に対する回答として適切な含有語を選択するように促すことになる。回答受付部１１ｄは、上記質問に対する利用者による回答を、情報端末４より受け付ける。
【００２８】
例えば、質問部１１ｃは、以下のようなワードの選定を順次利用者に促す。
・非商圏ワード
・非ターゲットワード
・自社ブランド名ワード
・競合ブランド名ワード
・重要な商圏ワード
・受注直結ワード
従って、回答受付部１１ｄは、これら各ワードに関係する検索キーワードの情報を受付けることができることになる。
【００２９】
キーワード選定部１１ｅは、回答受付部１１ｄが受け付けた各ワードに関係する検索キーワードの情報に基づいて検索キーワードの確度を選定する。
【００３０】
こうして、画面生成部１１ｆは、キーワードターゲティング結果をキーワードターゲティング結果格納ＤＢ１５より読み出し、確度ごとに検索キーワードをグループ分けした表形式の画面データを生成して、情報端末４に通信部１２を介して送信する。この送信については、主制御部１１ｇが制御を司る。主制御部１１ｇは、このような通信を司るほか各部１１ａ乃至１１ｆでは担当していな各種制御を統括する。
【００３１】
なお、図２では、サービスサーバ装置２や情報端末４と通信自在なサーバ装置１を例示したが、通信環境から分断されたローカル環境でも動作するキーワードターゲティング装置とすることも可能である。その場合のキーワードターゲティング装置の構成は図２と略同様であり、解析データ取得部１１ａは、不図示の外部Ｉ／Ｆを介して外部記憶装置より取得した検索キーワード群を解析データ格納ＤＢ１３に格納しておく。その他の各部の処理は前述したサーバ装置１による処理と同様である。
【００３２】
この場合、検索キーワード群を取得する検索キーワード群取得部１１ａと、検索キーワード群に含まれる検索キーワードがどのような含有語で構成されているか解析する形態素解析部１１ｂと、検索キーワードの絞り込みのための所定のワードの選定を促す案内画面を表示部１８に表示して所定の入力をするように促す質問部１１ｃと、操作部１７の操作により質問の回答を受付ける回答受付部１１ｄと、回答より所定のワードに関係する検索キーワードの情報に基づいて各検索キーワードの確度を選定するキーワード選定部１１ｅと、を備えたスタンドアローン型のキーワードターゲティング装置が実現される。
【００３３】
以下、図３のフローチャートを参照して、本発明の第１実施形態に係るキーワードターゲティングシステムのサーバ装置１による処理手順を詳細に説明する。
【００３４】
この処理では、先ず解析データ取得部１１ａがサービスサーバ装置２にアクセスして検索キーワード群を取得する（Ｓ１）。この取得された検索キーワード群は、検索キーワード群を解析データ格納ＤＢ１３に格納される。
【００３５】
続いて、形態素解析部１１ｂは、検索キーワード群に含まれる検索キーワードがどのような含有語で構成されているか解析する（Ｓ２）。
【００３６】
このＳ１，Ｓ２の処理を定期的に実施する中、キーワードターゲティング要求をサービス利用者の情報端末４より受信すると（Ｓ３をＹＥＳ）、質問部１１ｃ等が、詳細は後述するようなキーワードターゲティング処理を実行する（Ｓ４）。
【００３７】
ここでは、ステップＳ４の処理の概要だけ説明すると、質問部１１ｃは、利用者に対して、キーワードの絞り込みのための質問を読み出し、案内画面を情報端末４にて表示して所定の入力をするように促す。回答受付部１１ｄは、上記質問に対する利用者による回答を、情報端末４より受け付ける。そして、キーワード選定部１１ｅは、回答受付部１１ｄが受け付けた各ワードに関係する検索キーワードの情報に基づいて、各検索キーワードの確度を選定する。
【００３８】
こうして、画面生成部１１ｅは、例えば確度ごとに検索キーワードをグループ分けした表形式の画面データを生成して、情報端末４に通信部１２を介して送信し（Ｓ５）、キーワードターゲティングに係る一連の処理を終了する。
【００３９】
次に、図４のフローチャートを参照して、図３のステップＳ４で実行されるキーワードターゲティング処理の処理手順を詳細に説明する。
【００４０】
この処理に入ると、先ず質問部１１ｃは、非商圏ワードの選定を促す（Ｓ１１）。
【００４１】
このとき、利用者の情報端末４では、所定の案内画面が表示される。案内画面では、上部に「非商圏ワードがあれば選んでください。」と選定を促す表示がなされる。この表示の下には、左側に非商圏ワードを選定するための含有語が選択自在に列挙され、右側には非商圏ワードとして選択された含有語が表示される。従って、利用者は、情報端末４にて左側に列挙された含有語から非商圏ワードと関わりのある含有語を選択することで、当該含有語を非商圏ワードとして選定することができる。
【００４２】
回答受付部１１ｄは、回答を受け付け、キーワードターゲティング結果格納ＤＢ１５に記憶する（Ｓ１２）。
【００４３】
続いて、質問部１１ｃは、非ターゲットワードの選定を促す（Ｓ１３）。
【００４４】
このとき、利用者の情報端末４では、所定の案内画面が表示される。案内画面では、上部に「非ターゲットワードがあれば選んでください。」と選定を促す表示がなされる。そして、この表示の下には、左側に非ターゲットワードを選定するための含有語が選択自在に列挙され、右側に非ターゲットワードとして選定した含有語が表示される。従って、利用者は、情報端末４にて、左側に列挙された含有語から非ターゲットワードと関わりのある含有語を選択することで、当該含有語を非ターゲットワードとして選定できる。
【００４５】
回答受付部１１ｄは、回答を受け付け、キーワードターゲティング結果格納ＤＢ１５に記憶する（Ｓ１４）。
【００４６】
次いで、質問部１１ｃは、自社ブランド名ワードの選定を促す（Ｓ１５）。
【００４７】
このとき、利用者の情報端末４では、図５に示されるような案内画面１００が表示される。案内画面１００では、上部領域１００ａに「自社ブランド名ワードがあれば選んでください。」と選定を促す表示がなされる。その下には、左側領域１００ｂに自社ブランド名ワードを選定するための含有語が選択自在に列挙され、右側領域１００ｃには選択された含有語が自社ブランド名ワードとして表示される。従って、利用者は、情報端末４にて左側領域１００ｂから自社ブランド名ワードと関わりのある含有語を選択することで、当該含有語を自社ブランド名ワードとして選定することができる。
【００４８】
回答受付部１１ｄは、回答を受け付け、キーワードターゲティング結果格納ＤＢ１５に記憶する（Ｓ１６）。
【００４９】
続いて、質問部１１ｃは、競合ブランド名ワードの選定を促す（Ｓ１７）。
【００５０】
このとき、利用者の情報端末４では、所定の案内画面が表示される。案内画面の上部には「競合ブランド名ワードがあれば選んでください。」と選定を促す表示がなされる。その下には、左側に競合ブランド名ワードを選定するための含有語が選択自在に列挙され、右側に競合ブランド名ワードとして選定された含有語が表示される。従って、利用者は、情報端末４にて、左側から競合ブランド名ワードと関わりのある含有語を選択することで当該含有語を競合ブランド名ワードとして選定することができる。
【００５１】
回答受付部１１ｄは、回答を受け付け、キーワードターゲティング結果格納ＤＢ１５に記憶する（Ｓ１８）。
【００５２】
次いで、質問部１１ｃは、特に重要な商圏ワードの選定を促す（Ｓ１９）。
【００５３】
このとき、利用者の情報端末４では、所定の案内画面が表示される。案内画面では、上部に「特に重要な商圏ワードを選んでください。」と選定を促す表示がなされる。その下には、左側に特に重要な商圏ワードを選定するための含有語が選択自在に列挙され、右側に特に重要な商圏ワードとして選定した含有語が表示される。従って、利用者は、情報端末４にて、左側から特に重要な商圏ワードと関わりのある含有語を選択することで、当該含有語を含特に重要な商圏ワードとして選定することができる。
【００５４】
回答受付部１１ｄは、回答を受け付け、キーワードターゲティング結果格納ＤＢ１５に記憶する（Ｓ２０）。
【００５５】
続いて、質問部１１ｃは、受注直結ワードの選定を促す（Ｓ２１）。
【００５６】
このとき、利用者の情報端末４では、所定の案内画面が表示される。案内画面では、上部に「受注直結ワードがあれば選んでください。」と選定を促す表示がなされる。その下には、左側に受注直結ワードを選定するための含有語が選択自在に列挙され、右側に受注直結ワードとして選定された含有語が表示される。従って、利用者は、情報端末４にて、左側から受注直結ワードと関わりのある含有語を選択することで、当該含有語を受注直結ワードとして選定することができる。
【００５７】
回答受付部１１ｄは、回答を受け付け、キーワードターゲティング結果格納ＤＢ１５に記憶する（Ｓ２２）。
【００５８】
こうして、キーワード選定部１１ｅは、回答受付部１１ｄが受け付けた各ワードに関係する検索キーワードの情報に基づいて確度を選定し分類する（Ｓ２３）。
【００５９】
より詳細には、例えば、図６のテーブルに示されるように、非商圏ワードを１語以上含む、又は非ターゲットワードを１語以上含む場合、確度を「０」と設定する。商圏ワードを１語も含まず、受注直結ワードを１語も含まず、非商圏ワードを１語も含まず、非ターゲットワードを１語も含まない場合、確度を「１」とする。競合ブランドワードを１語以上含み、非商圏ワードを１語も含まず、非ターゲットワードを１語も含まない場合、確度を「２」とする。商圏ワードか受注直結ワードのどれかを１語だけ含み、競合ブランドワードを１語も含まず、非商圏ワードを１語も含まず、非ターゲット含有語を１語も含まない場合、確度を「３」とする。商圏ワードか受注直結ワードのどれかを２語以上含み、競合ブランドワードを１語も含まず、非商圏ワードを１語も含まず、非ターゲット含有語を１語も含まない場合、確度を「４」とする。そして、自社ブランド指名ワードを１語以上含み、競合ブランドワードを１語も含まず、非商圏ワードを１語も含まず、非ターゲット含有語を１語も含まない場合、確度を「５」とする。いずれのルールにも該当しない場合には、確度「２」とする。
【００６０】
こうして、キーワードターゲティング処理を終了し、図３のステップＳ５にリターンする。なお、ステップＳ１１，Ｓ１３，Ｓ１５，Ｓ１７，Ｓ１９，Ｓ２１で表示される案内画面の構成例は、先に図５に示したものと共通している。
【００６１】
以上説明した一連の処理により確度により分類された様子は、図７に示される。同図に示されるように、確度５，４，３…と確度によりグルーピングされた検索キーワード群が表示される。従って、利用者は確度の高い検索キーワード群の中から検索キーワードを選び出し、自己のＷｅｂサーバ装置５が提供するＷｅｂページの中に当該検索キーワードを散在させることで、ロングテールＳＥＯ等の対策を図ることができる。
【００６２】
（第２実施形態）
【００６３】
本発明の第２実施形態に係るキーワードターゲティングシステムは、検索キーワード毎のＣＶＲ、滞在時間、直帰率等（以下、ＣＶＲ等）の情報をアクセス解析ツール（例えば、Google Analytics（登録商標）等）より抽出または呼び出し、それらの値を各検索キーワードに併記することで主観的な処理結果と客観的な数値による処理結果とを同時に確認可能とし、キーワード選択の精度を上げるものである。
【００６４】
本発明の第２実施形態に係るキーワードターゲティングシステムの構成は、先に示した図１と同じであるが、サービスサーバ装置２は、検索に関わるキーワード別のＣＶＲ等も集計している。つまり、サービスサーバ装置２はアクセス解析ツールとしての機能も備えており、キーワードに対応する任意サイト（アドレスの集合）又はＷｅｂページ（アドレス）のＣＶＲを収集している。
【００６５】
第２実施形態に係るキーワードターゲティングシステムのサーバ装置１の構成は、図８に示される通りである。先に示した図２と同一構成については、同一符号を付して説明を省略する。このサーバ装置１は、その制御部１１が、キーワード選定部１１ｅにより確度が選定された各検索キーワードに係るＣＶＲ等情報をサービスサーバ装置1（アクセス解析ツール）より取得し、表示に反映させるＣＶＲ等取得制御部１１ｈとしても機能する点で先に説明した第１実施形態と相違している。
【００６６】
本発明の第２実施形態に係るキーワードターゲティングシステムのサーバ装置１による処理手順は、先に図３に示した通りであるので重複した説明は省略する。
【００６７】
以下、図９を参照して、図３のステップＳ４で実行されるキーワードターゲティング処理の処理手順を詳細に説明する。ここでは、図４と同一の処理手順については同一のステップ番号を付して重複した説明は省略する。
【００６８】
ステップＳ１１からＳ２３までの処理は、図４で前述した通りである。キーワード選定部１１ｅが、回答受付部１１ｄが受け付けた各ワードに関係する検索キーワードの情報に基づいて確度を選定し分類すると（Ｓ２３）、ＣＶＲ等取得制御部１１ｈが、選定された各検索キーワードに係るＣＶＲ情報をサービスサーバ装置１（アクセス解析ツール）より取得し、表示に反映させる（Ｓ２４）。
【００６９】
以上説明した一連の処理により確度により分類され、アクセス解析ツールから取得したＣＶＲを併記した表示の様子は図１０に示される。確度５，４，３…と確度によりグルーピングされた検索キーワード群が表示される。各検索キーワード群の横には、アクセス解析ツールから取得したＣＶＲ情報が併記される。従って、利用者は主観的な処理結果と客観的な数値による処理結果を見比べながら、利用者はＳＥＯ対策に好適な検索キーワードを選び出し、自己のＷｅｂサーバ装置５が提供するＷｅｂページの中に当該検索キーワードを配置する際の優先順位を明瞭化させる。
【００７０】
以上説明したように、本発明の一実施形態によれば、検索キーワードについて様々な視点及び指標から確度を求めて、ロングテールＳＥＯ等の対策に好適な検索キーワードであるか否かについて当該確度によりグループ分けして提示できるので、ロングテールＳＥＯ等において効果的な検索キーワードの選定に寄与することができる。
【００７１】
以上、本発明の一実施形態について説明したが、本発明はこれに限定されることなくその趣旨を逸脱しない範囲で種々の改良・変更が可能であることは勿論である。
【００７２】
例えば、キーワードターゲティング処理の中で選定を促すワードは、上記したものに限られず、業種・業態により異なるものとしてもよいことは勿論である。例えば、市場がＢｔｏＢマーケットであるか、ＢｔｏＣマーケットであるかによっても、利用者に選定を促すワード、つまりキーワードの確度に影響を与えるワードは異なってくる。
【符号の説明】
【００７３】
１  サーバ装置
２  サービスサーバ装置
３  ＤＢ
４  情報端末
５  Ｗｅｂサーバ装置
６  ネットワーク
１１  制御部
１１ａ  解析データ取得部
１１ｂ  形態素解析部
１１ｃ  質問部
１１ｄ  回答受付部
１１ｅ  キーワード選定部
１１ｆ  画面生成部
１１ｇ  主制御部
１２  通信部
１３  解析データ格納ＤＢ
１４  形態素解析結果格納ＤＢ
１５  キーワードターゲティング結果格納
１６  記憶部
１７  操作部
１８  表示部
【図１】
2017062771.tif 000003
【図２】
2017062771.tif 000004
【図３】
2017062771.tif 000005
【図４】
2017062771.tif 000006
【図５】
2017062771.tif 000007
【図６】
2017062771.tif 000008
【図７】
2017062771.tif 000009
【図８】
2017062771.tif 000010
【図９】
2017062771.tif 000011
【図１０】
2017062771.tif 000012